(57)【要約】      （修正有）【課題】作業機械の座席に座った運転者の操縦レバーを操作する手首部を乗せるリストレストの、手首部を乗せる部分の上下方向位置を任意に容易に調整できるようにする。【解決手段】操縦レバー4の近傍に鉛直方向に延び立設された案内体8と、この案内体にその鉛直方向に移動を自在に、かつ任意の位置に固定を自在に取り付けられた移動体10と、この移動体に取り付けられた手首部を乗せるパッド12とを備える作業機械のリストレスト。【選択図】図１
2006299548.tif 000002
【特許請求の範囲】
【請求項１】
作業機械の座席に座った運転者の操縦レバーを操作する手首部を乗せるリストレストであって、
操縦レバーの近傍に鉛直方向に延び立設された案内体と、
この案内体にその鉛直方向に移動を自在に、かつ任意の位置に固定を自在に取り付けられた移動体と、
この移動体に取り付けられた該手首部を乗せるパッドと
を備えている、ことを特徴とする作業機械のリストレスト。
【請求項２】
移動体に形成された該鉛直方向に延びる長穴と、
案内体に形成されたねじ穴と、
このねじ穴に該長穴を通し螺合され移動体を案内体に解除自在に固定する締結部材と
を備えている、ことを特徴とする請求項１記載の作業機械のリストレスト。
【請求項３】
締結部材が、操作摘み部を備えている、
ことを特徴とする請求項２記載の作業機械のリストレスト。
【請求項４】
案内体が、操縦レバーを支持するフレームにねじ部材により着脱を自在に取り付けられている、
ことを特徴とする請求項１から３までのいずれかに記載の作業機械のリストレスト。
【発明の詳細な説明】
【技術分野】
【０００１】
本発明は、作業機械の運転席の操縦レバーの近くに備えられ、操縦レバーを操作する運転者の手首部が乗せられるリストレストに関する。
【背景技術】
【０００２】
作業機械、例えば油圧ショベル、クレーン車のような作業機械には、操縦レバーを長時間繰り返し操作するような場合における運転者の腕の疲れを軽減するために、操縦レバーの近くに操縦レバーを握る運転者の手首部（リスト）を乗せるリストレストが備えられている（例えば、特許文献１参照）。
【０００３】
代表的なリストレストは、その位置が固定されているので、運転者の体格、好みなどに合わせ操縦レバーとの位置関係を調整することができない。また、リストレストを必要としない場合には、リストレストが作業機械を運転する上で邪魔になる。そこで位置の調整を可能にした、揺動ステーを備えたリストレストが開発されている（例えば、特許文献２参照）。
【特許文献１】実開平７−２５０５２号公報
【特許文献２】特開２００３−２２７１４７号公報
【発明の開示】
【発明が解決しようとする課題】
【０００４】
しかしながら、上述したとおりの形態の従来の作業機械のリストレストには、手首部を乗せる部分の上下方向位置を任意に調整できないという問題がある。
【０００５】
本発明は上記事実に鑑みてなされたもので、その技術的課題は、手首部を乗せる部分の上下方向位置を任意に容易に調整することができる、作業機械のリストレストを提供することである。
【課題を解決するための手段】
【０００６】
請求項１記載の発明は、操縦レバーの近傍に鉛直方向に延び立設された案内体と、この案内体にその鉛直方向に移動を自在に、かつ任意の位置に固定を自在に取り付けられた移動体と、この移動体に取り付けられた該手首部を乗せるパッドとを備えている、ことを特徴とする作業機械のリストレストである。そして、運転者の手首部を乗せるパッドの取り付けられた移動体は、案内体に沿って鉛直方向に自在に移動され、かつ任意の位置に固定される。
【０００７】
請求項２記載の発明は、請求項１記載のリストレストが、移動体に形成された該鉛直方向に延びる長穴と、案内体に形成されたねじ穴と、このねじ穴に該長穴を通し螺合され移動体を案内体に解除自在に固定する締結部材とを備えている。そして、パッドを取り付けた移動体を、その長穴を通した締結部材によって任意の移動位置に固定する。
【０００８】
請求項３記載の発明は、請求項２記載のリストレストの締結部材が、操作摘み部を備えている。そして運転者は、摘み部を用いて締結部材を緩めあるいは締め付け、パッドの位置を調整する。
【０００９】
請求項４記載の発明は、請求項１から３までのいずれかに記載のリストレストの案内体が操縦レバーを支持するフレームにねじ部材により着脱を自在に取り付けられている。そしてリストレストを、操縦レバーを支持するフレームに着脱を自在に取り付ける。
【発明の効果】
【００１０】
請求項１記載の発明によれば、操縦レバーの近傍に、鉛直方向に立設された案内体に鉛直方向に移動自在にかつ任意の位置に固定自在に取り付けられた手首部を乗せるパッドを有した移動体を備えている。したがって、移動体を鉛直方向の任意の位置に移動固定でき、手首部を乗せる部分の上下方向位置を任意に容易に調整することができる。
【００１１】
請求項２記載の発明によれば、移動体を、それに形成された鉛直方向に延びる長穴を通し案内体のねじ穴に締結部材を締め付けあるいは緩めて、任意の位置に移動固定する。したがって、締結部材を緩めあるいは締め付けることにより、運転者の手首部を乗せるパッドの位置を長穴に沿って任意の位置に調整することができる。
【００１２】
請求項３記載の発明によれば、締結部材が摘み部を備えている。したがって、運転者は摘み部を用いて締結部材を容易に操作できる。
【００１３】
請求項４記載の発明によれば、案内体が、操縦レバーを支持するフレームにねじ部材により着脱を自在に取り付けられている。したがって、リストレストを必要とする作業機械に適宜に容易にリストレストを取り付けることができる。
【発明を実施するための最良の形態】
【００１４】
以下、本発明に従って構成された作業機械のリストレストについて、好適実施形態を図示している添付図面を参照して、詳細に説明する。
【００１５】
図１および図２を参照して説明する。この実施形態における作業機械は、運転座席２の左右に一対の操縦レバー４、５を備えている。操縦レバー４、５は、それぞれ前後左右に操作される、実質上同一の構成のものであり、操縦する機器およびレバーの設置向きなどが異なっている。一方の操縦レバー４の近傍にはリストレスト６が、他方の操縦レバー５の近傍にはリストレスト７がそれぞれ、操縦レバー４，５の後側、運転座席２の背当て２ａ側に備えられている。
【００１６】
リストレスト６、７は、運転座席２の左右方向（図２の上下方向）において対称に形成されている以外は実質上同一である。したがって、以下の説明においては左側の一方のリストレスト６について記述する。
【００１７】
リストレスト６は、操縦レバー４の近傍に鉛直方向（図１の上下方向、図２の紙面に垂直方向）に延び立設された案内体８と、案内体８に鉛直方向に移動を自在に、かつ任意の位置に固定を自在に取り付けられた移動体１０と、移動体１０に取り付けられ、操縦レバー４を操作する運転者の手首部が乗せられるパッド１２を備えている。
【００１８】
移動体１０は、鉛直方向に延びる長穴１０ａを備え、案内体８に形成されたねじ穴（後に詳述する）にこの長穴１０ａを通し螺合させた締結部材１４により、案内体８に解除を自在に固定されている。
【００１９】
操縦レバー４は、運転座席２が設置された基台１６に取り付けられたフレーム１８に支持されている。フレーム１８は、比較的厚い鋼板を鉛直方向に立設して備えられ、先端上部に操縦レバー取付部１８ａを備えている。フレーム１８は、案内体８および移動体１０の下部とともに、樹脂により形成されたコンソール２０の中に納められている。
【００２０】
図１および図２とともに図３〜図５を参照してさらに詳細に説明する。案内体８は鋼部材を溶接して形成されている。案内体８は、板材を断面矩形のチャンネル状に成形しチャンネルの開口側をフレーム１８側に位置付けた案内体本体８ａと、案内体本体８ａの上端部のチャンネル内に一体的に取り付けられチャンネルの底辺部に形成されたボルト穴８ｂを通し締結部材１４の雄ねじ部１４ａが螺合されるねじ穴８ｃを有したブロック８ｄと、案内体本体８ａの下端部のチャンネル内に一体的に取り付けられチャンネルの底辺部に貫通する一対のボルト穴８ｅが形成されたブロック８ｆを一対備えている。
【００２１】
フレーム１８は、この４個のボルト穴８ｅに対応して４個のねじ穴１８ａを備えている。案内体８は、このねじ穴１８ａに螺合されるねじ部材としのボルト２２、４個により、フレーム１８の運転座席２から見て外側に着脱自在に取り付けられている。
【００２２】
移動体１０は鋼部材を溶接して形成されている。移動体１０は、案内体８の外縁部に摺動自在に被せられた断面矩形のチャンネル状の移動体本体１０ｂと、移動体本体１０ｂの上端部に水平方向に運転座席２側にオーバハングし延びたパッド１２が取り付けられるパッド取付板１０ｃを備えている。移動体本体１０ｂのチャンネルの底辺部に、上述の鉛直方向に延びる長穴１０ａが長さＬで形成されている。
【００２３】
締結部材１４は、樹脂または鋼材により形成され、案内体８のねじ穴８ｃに螺合する雄ねじ部１４ａが一端側に形成され、他端側には手指により操作される円柱状の摘み部１４ｂが形成されている。雄ねじ部１４ａと摘み部１４ｂの間には、長穴１０ａの周縁部に当接するフランジ部１４ｃが形成されている。摘み部１４ｂの外周面にはローレット切りされた平行溝が形成されている。
【００２４】
パッド１２は樹脂により成形され、パッド取付板１０ｃの側からにボルト（図示は省略されている）により取り付けられている。
【００２５】
締結部材１４の摘み部１４ｂより下方の案内体８および移動体１０の下部が、コンソール２０の中に穴２０ａを通し位置付けられている。
【００２６】
次に、図１〜図５を参照して、上述したとおりの作業機械のリストレスト６の作用効果について説明する。
【００２７】
リストレスト６は、操縦レバー４の近傍に鉛直方向に延び立設された案内体８に、鉛直方向に移動自在にかつ任意の位置に固定自在に取り付けられた手首部を乗せるパッド１２を有した移動体１０を備えているので、パッド１２を、移動体１０の長穴１０ａの長さＬにより規定された、鉛直方向に図１に示す「上位置」および「下位置」の間を任意の位置に移動させ固定することができる。したがって、手首部を乗せるパッド１２の上下方向位置を任意に容易に調整することができる。
【００２８】
リストレスト６は、移動体１０を、その長穴１０ａを通し案内体８のねじ穴８ｃに締結部材１４を締め付けあるいは緩めて任意の位置に移動固定できるので、締結部材１４の操作でパッド１２の位置を長穴１０ａに沿った任意の位置に調整できる。
【００２９】
リストレスト６は、締結部材１４が摘み部１４ｂを備えているので、運転者はこれを用いて締結部材１４を容易に操作できる。また、パッド１２の上下位置が変わっても摘み部１４ｂの位置は変わらないので、操作が容易である。
【００３０】
リストレスト６は、案内体８が操縦レバー４を支持するフレーム１８にねじ部材２２によって着脱を自在に取り付けられるので、リストレストを必要とする作業機械にのみリストレストを容易に取り付けることができる。
【００３１】
以上、本発明を実施例に基づいて詳細に説明したが、本発明は上記の実施例に限定されるものではなく、例えば下記のように、本発明の範囲内においてさまざまな変形あるいは修正ができるものである。
【００３２】
本実施例においては、移動体１０の移動すなわち手首部を乗せるパッド１２の「上位置」および「下位置」を規定する長さＬの長穴１０ａを備えている。この長さＬは作業機械、操縦レバーなどの形態に応じて適宜に変えればよい。例えば、作業形態によってリストレストが邪魔になる場合にはパッド１２を備えた移動体１０を下方に大きく移動できるようにすればよい。
【００３３】
本実施例においては、移動体１０にスロット１０ａが形成されているが、スロットを案内体に形成し移動体をこのスロットに沿って移動させるようにしてもよい。
【００３４】
本実施例においては、締結部材１４に手指により操作する円柱状の摘み部１４ｂを備えたが、この円柱状の摘みに変えて例えばレバー状の摘みにしてもよい。
【００３５】
本実施例においては、リストレスト６を作業機械のフレーム１８にねじ部材２２によって着脱を自在に取り付けたが、案内体８をフレーム１８に一体的に溶接して取り付けてもよい。
【図面の簡単な説明】
【００３６】
【図１】本発明に係る作業機械のリストレストの一実施の形態を備えた運転席の部分の側面図。
【図２】図１の運転席部分の平面図。
【図３】図１のＡ−Ａ矢印方向に見てリストレストの部分を示した拡大断面図。
【図４】図３のＢ−Ｂ矢印方向に見て締結部材の部分を示した拡大断面図。
【図５】図１のＣ−Ｃ矢印方向に見て操縦レバーを取り付けるフレームへの案内体の取付部を示した拡大断面図。
【符号の説明】
【００３７】
２：運転座席
４，５：操縦レバー
６，７：リストレスト
８：案内体
８ｃ：ねじ穴
１０：移動体
１０ａ：長穴
１２：パッド
１４：締結部材
１４ｂ：摘み部
１８：フレーム
２２：ボルト（ねじ部材）
【図１】
2006299548.tif 000003
【図２】
2006299548.tif 000004
【図３】
2006299548.tif 000005
【図４】
2006299548.tif 000006
【図５】
2006299548.tif 000007